(57)【特許請求の範囲】
【請求項１】
上下方向に連続した上下のカーテンウォールユニットを有し、
前記下のカーテンウォールユニットの上枠は、縦枠が連結される上枠本体と、前記上枠本体に取り付けた上枠アタッチメントを有し、前記上枠アタッチメントは前記上枠本体の室内側端部および前記縦枠よりも面外方向の室内側に張り出し、
前記上のカーテンウォールユニットの下枠は、室外側部材と、前記室外側部材に、当該室外側部材よりも面外方向の室内側に向けて取り付けられ、縦枠が連結される下枠アタッチメントを有し、前記室外側部材は、前記下枠アタッチメントおよび前記縦枠よりも面外方向の室外側に張り出し
前記上枠アタッチメントと前記下枠アタッチメントは面外方向にほぼ同一位置で、前記下のカーテンウォールユニットの縦枠よりも前記上のカーテンウォールユニットの縦枠が面外方向の室内寄りに位置し、前記上下方向に連続した上下のカーテンウォールユニットは、前記下のカーテンウォールユニットよりも前記上のカーテンウォールユニットが面外方向の室内寄りとなるように面外方向に位置がずれ、
前記上枠アタッチメントの上面と前記下枠アタッチメントの下面は、相対向した平坦面を有し、
前記下枠アタッチメントの下面の平坦面に横ウインドバリアを取り付け、前記横ウインドバリアを前記上枠アタッチメントの上面の平坦面に接触して前記下のカーテンウォールユニットの上枠と前記上のカーテンウォールユニットの下枠との間の横目地部を、前記横ウインドバリアで水密したことを特徴とするカーテンウォール。
【請求項２】
前記下枠アタッチメントの下面にウインドバリア台座を取り付け、前記横ウインドバリアを前記ウインドバリア台座に取り付けるようにした請求項１記載のカーテンウォール。
【請求項３】
前記下枠アタッチメントの上面に前記左右の縦枠の下端部をそれぞれ固着し、この左右の縦枠に縦ウインドバリアを面内方向の外側に向けてそれぞれ取り付け、
該左右の縦ウインドバリアの下端部と、前記下枠アタッチメントの下面に取り付けた前記横ウインドバリアの長手方向両端部をコーナーピースで、それぞれ連結した請求項１又は２記載のカーテンウォール。
【請求項４】
前記上枠アタッチメントの上面が、室外側が室内側よりも低くなるような傾斜面で、その上枠アタッチメントの上面に沿って流れた雨水が上枠本体の上向き凹陥部を経て縦枠から排水されるようにし、
左右のカーテンウォールユニットの上枠アタッチメント間に、雨水が左右の上枠アタッチメントの上面に向けて流れるようにする上面が山形状のキャッチパンを設けた請求項１〜３いずれか１項記載のカーテンウォール。
【請求項５】
下のカーテンウォールユニットの上枠本体の室内側部に下連結金具を取り付け、
上のカーテンウォールユニットの下枠アタッチメントの室内側部に上連結金具を取り付け、
該上連結金具と前記下連結金具を面内方向に移動可能で、面外方向に動かないように連結することで、下のカーテンウォールユニットの上部と上のカーテンウォールユニットの下部を連結した請求項１〜４いずれか１項記載のカーテンウォール。
【発明の詳細な説明】
【技術分野】
【０００１】
本発明は、複数のカーテンウォールユニットで構成されるユニットタイプのカーテンウォールに関する。
【背景技術】
【０００２】
従来、カーテンウォールとしては、上枠と下枠と左右の縦枠を方形に連結した枠体に面材を設けたカーテンウォールユニットを、上下方向及び左右方向に複数配設して建物躯体に取り付けたユニットタイプのカーテンウォールが知られている。
このユニットタイプのカーテンウォールにおいては、左のカーテンウォールユニットの縦枠に取り付けた縦ウインドバリア（水密材）と右のカーテンウォールユニットの縦枠に取り付けた縦ウインドバリア（水密材）を接触することで左右の縦枠の間、つまり縦目地部を水密し、下のカーテンウォールユニットの上枠に取り付けた上横ウインドバリア（水密材）と上のカーテンウォールユニットの下枠に取り付けた下横ウインドバリア（水密材）を接触して下枠と上枠の間、つまり横目地部を水密し、縦ウインドバリアと上下横ウインドバリアを連続している。
例えば、特許文献１に示されるように、上枠に形成した上向きの凹溝に上横ウインドバリアを嵌め込んで取り付け、下枠に形成した下向きの凹溝に下横ウインドバリアを嵌め込んで取り付け、その上横ウインドバリアと下横ウインドバリアを接触して横目地部を水密している。
【先行技術文献】
【特許文献】
【０００３】
【特許文献１】実開平５−５５０３４号公報
【発明の概要】
【発明が解決しようとする課題】
【０００４】
前述のように、上下の横ウインドバリアを凹溝に嵌め込むことで上枠、下枠に取り付けているので、上枠、下枠は凹溝を有する複雑形状で、押し出し用の金型を作製する費用が高くなると共に、上下の横ウインドバリアを用いるため多くの横ウインドバリアを必要とし高価となるので、横目地部を水密するためのコストが高い。
【０００５】
しかも、上下の横ウインドバリアの面外方向（上下枠の長手方向と直角な室内外側方向）の位置は、凹溝の位置によって決定され、横目地部を水密する面外方向の位置は一定で、任意に変更できない。
上枠、下枠は押し出し形材を用いているので、凹溝は上下枠の長手方向に沿って上下枠の室内外側端部と平行となるから、上下の横ウインドバリアは上下枠の室内外側端部と平行の姿勢に取り付けられ、斜めの姿勢には取り付けできない。
このために、横ウインドバリアによる横目地部を水密する面外方向の位置を任意に変更できると共に、横ウインドバリアを斜めの姿勢に取り付けできるようにすることが望まれている。
【０００６】
すなわち、本出願人等はセットバックした多角部を有する意匠に対応可能なカーテンウォールを開発した。
このカーテンウォールは、複数のカーテンウォールユニットを横方向（左右方向）に１８０°よりも小さな角度で順次配置した多角横ユニットを上下方向にセットバックして取り付けしたものである。
前述したカーテンウォールにおいては、セットバック量が異なる場合があるため横目地部を水密する面外方向の位置を変更しなければならないため、横ウインドバリアによる横目地部を水密する面外方向の位置を任意に変更できることが必要とされる。
また、前述のカーテンウォールにおいては、下のカーテンウォールユニットの面材の角度と上のカーテンウォールユニットの面材の角度が異なることがある。その場合には左右の縦ウインドバリアの面外方向位置が異なり、その左右の縦ウインドバリアを連続するために横ウインドバリアを下枠に斜めの姿勢で取り付けることになるから、横ウインドバリアを下枠に斜めの姿勢で所定範囲の角度で任意に取り付けできることが必要とされる。
【０００７】
本発明の目的は、横目地部の水密位置を面外方向に任意に変更できると共に、下枠に横ウインドバリアを斜めの姿勢で所定範囲の角度で任意に取り付けでき、しかも、横目地部を水密するためのコストを低減できるようにしたカーテンウォールとすることである。
【課題を解決するための手段】
【０００８】
本発明のカーテンウォールは、上下方向に連続した上下のカーテンウォールユニットを有し、
前記下のカーテンウォールユニットの上枠は、縦枠が連結される上枠本体と、前記上枠本体に取り付けた上枠アタッチメントを有し、前記上枠アタッチメントは前記上枠本体の室内側端部および前記縦枠よりも面外方向の室内側に張り出し、
前記上のカーテンウォールユニットの下枠は、室外側部材と、前記室外側部材に、当該室外側部材よりも面外方向の室内側に向けて取り付けられ、縦枠が連結される下枠アタッチメントを有し、前記室外側部材は、前記下枠アタッチメントおよび前記縦枠よりも面外方向の室外側に張り出し
前記上枠アタッチメントと前記下枠アタッチメントは面外方向にほぼ同一位置で、前記下のカーテンウォールユニットの縦枠よりも前記上のカーテンウォールユニットの縦枠が面外方向の室内寄りに位置し、前記上下方向に連続した上下のカーテンウォールユニットは、前記下のカーテンウォールユニットよりも前記上のカーテンウォールユニットが面外方向の室内寄りとなるように面外方向に位置がずれ、
前記上枠アタッチメントの上面と前記下枠アタッチメントの下面は、相対向した平坦面を有し、
前記下枠アタッチメントの下面の平坦面に横ウインドバリアを取り付け、前記横ウインドバリアを前記上枠アタッチメントの上面の平坦面に接触して前記下のカーテンウォールユニットの上枠と前記上のカーテンウォールユニットの下枠との間の横目地部を、前記横ウインドバリアで水密したことを特徴とするカーテンウォールである。
【０００９】
本発明のカーテンウォールにおいては、前記下枠アタッチメントの下面にウインドバリア台座を取り付け、前記横ウインドバリアを前記ウインドバリア台座に取り付けるようにできる。
このようにすれば、下枠の下面に横ウインドバリアをしっかりと容易に取り付けることができる。
【００１０】
本発明のカーテンウォールにおいては、前記下枠アタッチメントの上面に前記左右の縦枠の下端部をそれぞれ固着し、この左右の縦枠に縦ウインドバリアを面内方向の外側に向けてそれぞれ取り付け、
該左右の縦ウインドバリアの下端部と、前記下枠アタッチメントの下面に取り付けた前記横ウインドバリアの長手方向両端部をコーナーピースで、それぞれ連結することができる。
このようにすれば、左右の縦枠を面外方向に位置をずらして固着することで、その左右の縦枠に面材を、下枠アタッチメントの室内外側端部に対して斜めに設けることができると共に、その左右の縦枠に設けた左右の縦ウインドバリアと横ウインドバリアをコーナーピースで連続することができる。
【００１１】
本発明のカーテンウォールにおいては、前記上枠アタッチメントの上面が、室外側が室内側よりも低くなるような傾斜面で、その上枠アタッチメントの上面に沿って流れた雨水が上枠本体の上向き凹陥部を経て縦枠から排水されるようにし、
左右のカーテンウォールユニットの上枠アタッチメント間に、雨水が左右の上枠アタッチメントの上面に向けて流れるようにする上面が山形状のキャッチパンを設けることができる。
このようにすれば、縦目地部に沿って流れた雨水等を縦枠から排水することができる。
【００１２】
本発明のカーテンウォールにおいては、下のカーテンウォールユニットの上枠本体の室内側部に下連結金具を取り付け、
上のカーテンウォールユニットの下枠アタッチメントの室内側部に上連結金具を取り付け、
該上連結金具と前記下連結金具を面内方向に移動可能で、面外方向に動かないように連結することで、下のカーテンウォールユニットの上部と上のカーテンウォールユニットの下部を連結することができる。
このようにすれば、上・下連結金具が横目地部に存在しないので、横ウインドバリアの取り付け等が連結手段のために制約を受けることがない。
【００１３】
本発明のカーテンウォールは、前記下枠アタッチメントの下面と上枠アタッチメントの上面を面内方向及び面外方向に平行に相対向することが好ましい。
このようにすれば、横ウインドバリアの取付位置が面外方向、あるいは面内方向に変更しても、その横ウインドバリアは上枠アタッチメントの上面に同じように接触して圧縮変形代が同一となるから、優れた水密性が得られる。
【００１４】
本発明のカーテンウォールは、前記上枠アタッチメントの左右方向端部に水密性を有するキャッチパン部材を取り付け、
左右のカーテンウォールユニットの上枠アタッチメントに取り付けたキャッチパン部材を接触してキャッチパンとし、
左右の縦枠に取り付けた縦レインバリアの上端部を、前記キャッチパン部材に接触することが好ましい。
このようにすれば、キャッチパン部材により縦レインバリアの上部を上枠アタッチメントの上面まで連続することができ、縦目地部の上部寄りを確実に水密できる。
【発明の効果】
【００１６】
本発明によれば、下枠アタッチメントの平坦な下面に取り付けた横ウインドアリアを上枠アタッチメントの平坦な上面に接して横目地部を水密したことにより、その横ウインドバリアを下枠アタッチメントの下面の面外方向の任意の位置に取り付けできると共に、斜めの姿勢で所定範囲の角度で任意に取り付けることもできるので、横目地部の水密位置を面外方向に任意に変更できる。
しかも、上枠アタッチメントの上面、下枠アタッチメントの下面は平坦面であるから、その上枠アタッチメント、下枠アタッチメントの押し出し用の金型を作製する費用が易く、１つの横ウインドバリアを用いれば良いので、横目地部を水密するためのコストが安い。
【図面の簡単な説明】
【００１７】
【図１】本発明の実施の形態を示すカーテンウォールの一部概略外観図である。
【図２】図１のＡ−Ａ断面図である。
【図３】図１のＢ−Ｂ断面図である。
【図４】多角部の概略横断面図である。
【図５】カーテンウォールユニットの正面図である。
【図６】図５のＣ−Ｃ断面図である。
【図７】セットバック量が最も大きい上枠、下枠部分の断面図である。
【図８】セットバック量が２番目の大きさの上枠、下枠部分の断面図である。
【図９】セットバック量が３番目の大きさの上枠、下枠部分の断面図である。
【図１０】セットバック量が最も小さい上枠、下枠部分の断面図である。
【図１１】横目地部の詳細を示す図５のＤ−Ｄ拡大断面図である。
【図１２】縦目地部の詳細を示す図５のＥ−Ｅ拡大断面図である。
【図１３】下枠と横ウインドバリアとウインドバリア台座を分解した底面図である。
【図１４】横・縦ウインドバリアの正面図である。
【図１５】横・縦ウインドバリアの側面図である。
【図１６】上下の面材の角度が異なる部分を示す図５のＦ−Ｆ断面図である。
【図１７】左右のカーテンウォールユニットの上部斜視図である。
【図１８】キャッチパン部分の雨水の流れを示す斜視図である。
【発明を実施するための形態】
【００１８】
本発明のカーテンウォールは図１に示すように、２つの直線部ａ，ａを多角部ｂで連続してある。
前記直線部ａ、多角部ｂはカーテンウォールユニット１を左右方向、上下方向に配設したものである。
直線部ａは図２に示すように、上下方向に連続するカーテンウォールユニット１が面外方向（室内外側方向）に同一位置である。
多角部ｂは図３に示すように、上下方向に連続するカーテンウォールユニット１が、下のカーテンウォールユニット１よりも上のカーテンウォールユニット１が面外方向の室内寄りとなるように面外方向に位置がずれている。
つまり、多角部ｂはカーテンウォールユニット１がセットバックしている。
【００１９】
前記多角部ｂは次のようにしてある。
複数のカーテンウォールユニット１を左右方向に同一高さで多角形状に配設して横ユニット群１０とし、その横ユニット群１０を上下方向に複数配設してユニット群１１とし、そのユニット群１１を上下方向に複数配設してある。
例えば、４つの横ユニット群１０でユニット群１１とし、３つのユニット群１１が上下方向に配設してある。
【００２０】
前記１つのユニット群１１における複数の横ユニット群１０の直線部ａと連続した切替り部１２は、図４に示すように左右方向で同一位置で、ユニット群１１毎に切替り部１２の位置が左右方向に異なる。
例えば、図４に示すように、最も下のユニット群１１の横ユニット群１０の左右の切替り部１２ａ間の距離が最も短い値で、中間のユニット群１１の横ユニット群１０の左右の切替り部１２ｂ間の距離が中間の値で、最も上のユニット群１１の横ユニット群１０の左右の切替り部１２ｃ間の距離が最も長い位置である。
前記１つのユニット群１１における横ユニット群１０を構成するカーテンウォールユニット１の数は同じで、ユニット群１１ごとに横ユニット群１０を構成するカーテンウォールユニット１の数が異なり、上のユニット群１１が多くなっている。
【００２１】
前記各ユニット群１１の横ユニット群１０は、左右中央部を境として左右対称な多角形状とし、左右のカーテンウォールユニット１相互の連結部、つまり縦目地部ｃを上下方向に一直線としてある。
例えば、最も下のユニット群１１の横ユニット群１０を、左右中央のカーテンウォールユニット１ａを境として左右に３つのカーテンウォールユニット１を配設し、カーテンウォールユニット１の数を７つとする。
中間のユニット群１１の横ユニット群１０を、左右中央のカーテンウォールユニット１ｂを境として左右に４つのカーテンウォールユニットを配設し、カーテンウォールユニット１の数を９つとする。
最も上のユニット群１１の横ユニット群１０を、左右中央のカーテンウォールユニット１ｃを境として左右に５つのカーテンウォールユニット１を配設し、カーテンウォールユニット１の数を１１とする。
前記左右中央のカーテンウォールユニット１ａ，１ｂ，１ｃの左右にそれぞれ配設したカーテンウォールユニット１は見付け寸法がそれぞれ異なると共に、角度が異なる。
【００２２】
このようであるから、多角部ｂはほぼ円弧状の外観を示すと共に、縦目地部ｃが上下方向に一直線状に連続するので、多角部ｂの見栄えが良い。
なお、図１において多角部ｂの縦目地部ｃは上下のユニット群１１で左右にずれて図示されておりますが、これは直線部ａから見たためで、多角部ｂの真上から見れば縦目地部ｃが上下方向に一直線状に連続する。
【００２３】
前述したカーテンウォールであれば、２つの直線部ａが直線状の平坦面として見え、多角部ｂが上方に向けて順次小さくなったほぼ円弧状に見えるので、直線状の平坦面と上方に向けて順次小さくなったほぼ円弧状面が連続した外観となる。
したがって、多様な外観の建物とすることができる。
【００２４】
前記カーテンウォールユニット１は、図５に示すように、枠体２に面材２ａを設けてある。
前記枠体２は、上枠３と下枠４と左右の縦枠５を方形状に連結してある。この実施の形態では、上枠３の下面に縦枠５の上端部を固着すると共に、下枠４の上面に縦枠５の下端部を固着して連結してある。
前記左右の縦枠５間に上中間横材２０、下中間横材２１を連結し、枠体２内に上枠部２２、中間枠部２３、下枠部２４を形成している。
【００２５】
図６に示すように、上枠部２２に面材２ａ、例えばフロートガラス２５を設けると共に、バックパネル２６を設けて上腰部とする。
中間枠部２３に面材２ａ、例えば複層ガラス２７を設けて窓部とする。
下枠部２４に面材２ａ、例えばフロートガラス２５を設けると共に、バックパネル２６を設けて下腰部とする。
カーテンウォールユニット１は、その枠体２を図示しないファスナーで建物躯体２８に固着して取り付ける。
【００２６】
前述したように、多角部ｂのカーテンウォールユニット１はセットバックしているので、図６に示すように、下のカーテンウォールユニット１（面材２ａ）と上のカーテンウォールユニット（面材２ａ）が下のカーテンウォールユニット１（面材２ａ）よりも面外方向の室内寄りに位置している。
【００２７】
このために、上枠３、下枠４、縦枠５の見込み寸法が同一であると、下のカーテンウォールユニット１の上枠３の室外側寄りを上のカーテンウォールユニット１の下枠４で覆うことができないと共に、上のカーテンウォールユニット１の下枠の室内側寄りを下のカーテンウォールユニット１の上枠３で覆うことができない。つまり、上枠３と下枠４を面外方向全長に亘って重なり合うことができない。
【００２８】
そこで、図６に示すように上枠３を縦枠５よりも室内側に張り出した張り出し部を有する形状とし、上のカーテンウォールユニット１の下枠４の室内側寄りを覆うようにする。つまり、上枠３の見込み寸法は縦枠５の見込み寸法よりも長く、上枠３の室外側寄りに縦枠５が連結してある。
下枠４を縦枠５よりも室外側に張り出した張り出し部を有する形状とし、下のカーテンウォールユニット１の上枠３の室外側寄りを覆うようにする。つまり、下枠４の見込み寸法は縦枠５の見込み寸法寄りも長く、下枠４の室内側寄りに縦枠５が連結してある。
このようにすることで、上枠３と下枠４を面外方向全長に亘って重なり合うようにできる。
【００２９】
また、カーテンウォールユニット１のセットバック量が同一で、上下のカーテンウォールユニット１の面外方向の位置ずれ量（面外方向の寸法）が同一であれば上下のカーテンウォールユニット１の上枠３、下枠４の見込み寸法（面外方向の寸法）を同一とすることができる。
しかしながら、前述のセットバック量が異なり、面外方向の位置ずれ量が異なる場合には、上下のカーテンウォールユニット１の上枠３、下枠４の見込み寸法（面外方向の寸法）が同一であると、下のカーテンウォールユニット１の上枠３と上のカーテンウォールユニット１の下枠４を面内方向全長に亘って重なり合うことができないことがある。
この実施の形態では、１つのユニット群１１の複数の横ユニット群１０は、その直線部ａとの切替り部１２の左右方向位置は同一で、縦目地部ｃは上下方向に一直線状に連続しているから、１つの横ユニット１０の左右方向に隣接したカーテンウォールユニットの角度が異なり、前述のように面外方向の位置ズレ量が異なる。
【００３０】
カーテンウォールユニット１の面外方向の位置ずれに見合う見込み寸法の上枠３、下枠４を用いて下のカーテンウォールユニット１の上枠３と上のカーテンウォールユニット１の下枠４を面外方向全長に亘って重なり合うようにしている。
【００３１】
例えば、図７〜図１０に示すように、上枠３は、上枠本体３０と、見込み寸法の異なる上枠アタッチメント３１を備え、その上枠アタッチメント３１を上枠本体３０の上面に取りつけ、その上枠アタッチメント３１を上枠本体３０の室内側端部３０ａよりも面外方向の室内側に張り出し、その上枠アタッチメント３１の室内側端部３１ａ（上枠３の室内側端部３ａ）と上枠本体３０の室外側端部３０ｂ（上枠３の室外側端部３ｂ）との間が見込み寸法となるようにしてある。縦枠５は上枠本体３０と同一見込み寸法で、その上枠本体３０の下面に縦枠５の上部が連結してある。
このようであるから、上枠本体３０を共通として見込み寸法の異なる上枠アタッチメント３１を取り付けることで見込み寸法の異なる上枠３とすることができ、見込み寸法の異なる上枠３を安価に製作することができる。
【００３２】
前記上枠本体３０は、室外側面材取付部３２と室内側バックパネル取付部３３を有し、その上面の面外方向中間に上向き凹陥部３４を長手方向に連続して有すると共に、その上向き凹陥部３４よりも室内寄りに上向き凹部３５を長手方向に連続して有している。
前記上枠アタッチメント３１は、上枠本体３０の上面における上向き凹陥部３４よりも室内寄りに取り付けた室外側アタッチメント３６と、この室外側アタッチメント３６と連続して上枠本体３０の上面に取り付けた室内側アタッチメント３７を備え、その室外側アタッチメント３６を共通とし、見込み寸法の異なる室内側アタッチメント３７を取り付けることで見付け寸法の異なる上枠アタッチメント３１としている。
【００３３】
例えば、図７に示すように、中空形状の室外側部３７ｂ、中空形状の中間部３７ｃ、鉤形状の室内側部３７ｄにより見込み寸法の最も長い第１の室内側アタッチメント３７−１を取り付けることで見込み寸法の最も長い第１の上枠３とする。
図８に示すように、前記第１の室内側アタッチメント３７−１の室内側部３７ｄを中間部で切断して除去した見込み寸法が２番目に長い第２の室内側アタッチメント３７−２を取り付けることで、見込み寸法が２番目に長い上枠３とする。
図９に示すように、前述の中空形状の室外側部３７ｂと鉤形状の室内側部３７ｄにより見込み寸法が３番目の長さである第３の室内側アタッチメント３７−３を取り付けることで、見込み寸法が３番目に長い上枠３とする。
図１０に示すように、前述の第３の室内側アタッチメント３７−３の室内側部３７ｄを切断して除去し、室内側部３７ｂのみから成り、見込み寸法が最も短い第４の室内側アタッチメント３７−４を取り付けることで、見込み寸法が最も短い上枠３とする。
【００３４】
このようであるから、２種類の室内側アタッチメント３７を用いて４種類の室内側アタッチメント３７とすることができ、室内側アタッチメント３７を安価に製作することができる。
【００３５】
前記室外側アタッチメント３６は、図１１に示すように、上枠本体３０の上向き凹部３５を形成する室外側立ち上がり３５ａに当接して面外方向に位置決めされ、取付片３６ａを上枠本体３０の上面に接すると共に、ビス３６ｂで固着して取り付けてあり、上向き凹部３５を閉塞している。
前記第１〜第４の室内側アタッチメント３７の室外側部３７ｂは、室外側アタッチメント３６の室内側縦面３６ｃに当接して位置決めされ、かつ係止部３８で係止され、下面に設けた垂下片３７ｅを上枠本体３０の上面に取り付けた立上り片３０ｃにビス３７ｆで固着して取り付けられる。
【００３６】
このように、第１〜第４の室内側アタッチメント３７の室外側部３７ｂを室外側アタッチメント３６、上枠本体３０に同一の固着の仕方で取り付けでき、室内側アタッチメント３７の取り付けがやり易い。
【００３７】
下枠４は、図７〜図１０に示すように、室外側部材４０に見込み寸法の異なる下枠アタッチメント４１を取り付けることで、見込み寸法の異なる下枠４とし、下枠アタッチメント４１の室内側端部と縦枠５の室内側端部を面外方向に同一位置として連結している。
このように、見込み寸法の異なる下枠４は、室外側部材４０を共通としているから、下枠４の外観が同一で、横ユニット群１０、ユニット群１１の見栄えが良い。
【００３８】
例えば、図７に示すように、室外側部材４０に、第１下枠アタッチメント４２と第２下枠アタッチメント４３で見込み寸法が最も長い第１の下枠アタッチメント４１−１を取り付けることで、見込み寸法が最も長い下枠４とする。
図８に示すように、室外側部材４０に、第３アタッチメント４４と前述の第２アタッチメント４３で見込み寸法が２番目に長い第２の下枠アタッチメント４１−２を取り付けることで、見込み寸法が２番目に長い下枠４とする。
図９に示すように、室外側部材４０に、第４下枠アタッチメント４５のみで見込み寸法が３番目に長い第３の下枠アタッチメント４１−３を取り付けることで、見込み寸法が３番目に長い下枠４とする。
図１０に示すように、室外側部材４０に、前述の第４下枠アタッチメント４５の一部を切断して除去した見込み寸法が最も短い第４の下枠アタッチメント４１−４を取り付けることで、見込み寸法が最も短い下枠４とする。
【００３９】
前記各下枠４は各上枠３よりも見込み寸法が長く、その下枠４の室外側端部４ａは上枠３の室外側端部３ｂよりも室外側に張り出し、下枠４の室内側端部４ｂは上枠３の室内側端部３ａよりも室内側に張り出し、下のカーテンウォールユニット１の上枠３を、上のカーテンウォールユニット１の下枠４で覆っている。
【００４０】
前記下のカーテンウォールユニット１の上部（上枠３）と上のカーテンウォールユニット１の下部（下枠）は連結手段６で、面内方向（上下・左右）には移動可能で、面外方向には動かないように連結され、上下のカーテンウォールユニット１が層間変位できるようにしてある。
前記連結手段６は、下のカーテンウォールユニット１の上部室内側部、例えば上枠本体３０の室内側端部３０ａに、室内側に向けて取り付けた下連結金具６０と、上のカーテンウォールユニット１の下部室内側部、例えば、下枠４の室内側端部４ｂ寄りに、室内側に向けて取り付けた上連結金具６１を備え、この下連結金具６０と上連結金具６１を面内方向（上下・左右）に移動自在で、面外方向には動かないように連結してある。
【００４１】
このように、上下のカーテンウォールユニット１を、その室内側部において連結手段６で連結したので、カーテンウォールの施工時に連結手段６を目視することができ、その下連結金具６０と上連結金具６１を容易かつ確実に連結することができる。
しかも、前述のように見込み寸法が異なる上枠３、下枠４の場合でも連結手段６により上下のカーテンウォールユニット１を容易に連結できる。
さらに、上枠３の上面及び下枠４の下面には連結手段６が存在しないから、後述するように上枠３の上面と下枠４の下面との間（横目地部）を水密する横ウインドバリアの取り付け等が連結手段６で制約を受けることがない。
【００４２】
前記下連結金具６０は図１１に示すように、ブラケット６２と連結片６３を備え、そのブラケット６２の縦片６２ａを下枠本体３０の室内側端部３０ａにボルト・ナット６４で固着し、そのブラケット６２の室内側に向かう横片６２ｂに連結片６３の横片６３ａをボルト・ナット６５で固着し、その連結片６３の縦片６３ｂが上方に向かうようにしてある。
前記上連結金具６１は図１１に示すように、取付部６６と連結片受部６７を有し、その取付部６６を下枠４（下枠アタッチメント４１）の室内側部分にビス６８で固着して取り付けることで、連結片受部６７が下枠４の室内側端部から室内側に張り出すようにしてある。
この連結片受部６７は下向き凹部６７ａを有し、この下向き凹部６７ａに連結片６３の縦片６３ｂが嵌まり合うようにしている。
【００４３】
このようであるから、カーテンウォールの施工時に下のカーテンウォールユニット１を建物躯体に取り付けた後に、上のカーテンウォールユニット１を吊り上げ、その連結片受部６７の下向き凹部６７ａを連結片６３の縦片６３ｂに嵌め込むことで上下のカーテンウォールユニット１を連結し、その後に上のカーテンウォールユニット１を建物躯体に取り付けることができる。
【００４４】
前述のように、見込み寸法の異なる下枠４の室内側部に上連結金具６１を取り付けすると、図７〜図１０に示すように、上枠本体３０の室内側端部３０ａ（下連結金具６０の取付部）から連結片受部６７までの距離がそれぞれ異なるので、横片６２ｂの長さが異なるブラケット６２を準備し、１つのブラケット６２の横片６２ｂの長手方向複数位置に連結片６３を取り付けると共に、１つのブラケット６２の横片６２ｂに連結片６３を向きを変えて取り付けることにより、連結片６３の縦片６３ｂを連結片受部６７の下向き凹部６７ａに嵌め込むことができるようにしている。
【００４５】
このようにすることで、下連結金具６０のブラケット６２の種類を少なくすることができる。
【００４６】
例えば、図７、図８に示すように横片６２ｂが長いブラケット６２と、図９、図１０に示すように横片６２ｂが短いブラケット６２の２種類のブラケットを準備をする。
見込み寸法が最も長い下枠４の場合には、図７に示すように横片６２ｂが長いブラケット６２を上枠本体３０に取り付け、その横片６２ｂの室内側寄りに連結片６３を取り付け、上枠本体３０の室内側端部３０ａから縦片６３ｂまでの距離を最も長くする。
見込み寸法が２番目に長い下枠４の場合には、図８に示すように横片６２ｂが長いブラケット６２を上枠本体３０に取り付け、その横片６２ｂの室外側寄りに連結片６３を取り付け、上枠本体３０の室内側端部３０ａから縦片６３ｂまでの距離を２番目の長さとする。
前述のように、横片６２ｂに連結片６３を取り付ける位置を変更するには、その取付位置に対向してボルト挿通孔をそれぞれ形成したり、ボルト挿通孔を長孔とすれば良い。
【００４７】
見込み寸法が３番目に長い下枠４の場合には、図９に示すように横片６２ｂの短いブラケット６２を上枠本体３０に取り付け、その横片６２ｂに連結片６３を、その縦片６３ｂがボルトナット６５よりも室内側寄りに位置するように取り付け、上枠本体３０の室内側端部３０ａから縦片６３ｂまでの距離を３番目の長さとする。
見込み寸法が最も短い下枠４の場合には、図１０に示すように横片６２ｂの短いブラケット６２を上枠本体３０に取り付け、その横片６２ｂに連結片６３を、その縦片６３ｂがボルト、ナット６５よりも室外側に位置するように取り付け、上枠本体３０の室内側端部３０ａから縦片６３ｂまでの距離を最も短くする。
【００４８】
前述のようにすることで、横片６２ｂが長い、短い２種類のブラケット６２と、同一の連結片６３、同一の上連結金具６１を用いて４種類の長さの下枠４、上枠３を有するカーテンウォールユニットを連結することができる。
【００４９】
前記縦枠５は図１２に示すように、その室外側寄りに面材取付部、例えば、面内方向の内側に向けて開口した溝５０を有し、この溝５０内に面材２ａの縦縁部が取り付けてある。
この縦枠５の面内方向の内側面５ａと面材２ａは平面方向にほぼ９０度で、左右のカーテンウォールユニット１の面材２ａが所定の角度（図４に示す角度）となるように左右のカーテンウォールユニット１の縦枠５の内側面５ａが平行に対して斜めとなるように下枠４（上枠３）に連結してある。
前記縦枠５は、長手方向に連続した複数のビスホール５ｂを有し、この縦枠５の上端部、下端部を上枠３の下面、下枠４の上面に接し、上枠３、下枠４からビスをビスホール５ｂに螺合して固着してある。
【００５０】
次に、カーテンウォールユニット１間の水密について説明する。
図１１に示すように、横目地部は、下枠４の下面４ｃの室内側寄り（例えば、下枠アタッチメント４１の下面）に横ウインドバリア（水密材）７ａを取り付ける。
この横ウインドバリア７ａの円弧面を上枠３の上面３ｃの室内側寄り（例えば、上枠アタッチメント３１の上面）に押しつけることで、平坦面形状に圧縮変形し、上下のカーテンウォールユニット１の下枠４と上枠３との間、つまり横目地部を水密している。
この横ウインドバリア７ａによる水密部は横目地部の室内側寄りである。
【００５１】
下枠４の下面４ｃの室外側寄りに横レインバリア（水密材）８ａを設け、この横レインバリ８ａを上枠３の上面３ｃの室外側寄りに接触することで、上下のカーテンウォールユニット１間の横目地部の室外側寄りを水密し、上下のカーテンウォールユニット間の横目地部における室内外側方向の中間部に等圧空間を形成している。
図１１においては、下枠４の下面４ａの室外側寄りに一対の横レインバリア８ａを面外方向に間隔を置いて設け、室内側寄りの横レインバリア８ａを上枠アタッチメント３１の上面の室外側寄りに接触し、室外側寄りの横レインバリア８ａを上枠本体３０の上面の室外側寄りに接触している。
【００５２】
図１２に示すように、縦枠５の室内側寄りに縦ウインドバリア７ｂを面内方向の外側に向けて取り付け、縦枠５の中間部に縦レインバリア８ｂを面内方向の外側に向けて設けてある。
左のカーテンウォールユニット１の縦枠５に設けた縦ウインドバリア７ｂ、縦レインバリ８ｂと、右のカーテンウォールユニット１の縦枠５に設けた縦ウインドバリア７ｂ、縦レインバリア８ｂがそれぞれ接触することで、左右のカーテンウォールユニット１間の縦目地部の室内側寄りと中間部をそれぞれ水密すると共に、等圧空間を形成している。
【００５３】
前記横ウインドバリア７ａの取り付けを説明する。
図１１に示すように、下枠４の下面４ｃにおける室内側寄り部分を平坦面とし、この平坦面に横ウインドバリア７ａの平坦面を取り付けることで、横ウインドバリア７ａの面外方向の取付位置を容易に変更できると共に、下枠４の長手方向に沿って斜めの姿勢、つまり下枠４の室外側端部４ａ、室内側端部４ｂと平行ではなく、室外側端部４ａ、室内側端部４ｂに対して斜めの姿勢で容易に取り付けることができるようにする。
【００５４】
具体的には、図１１、図１３に示すように下枠４の下面４ｃに横ウインドバリア７ａをウインドバリア台座７０を介して取り付ける。
このウインドバリア台座７０は長尺の板状で、その表面に横ウインドバリア７ａの平坦面を接着等で取り付けるようにすると共に、ウインドバリア台座７０の裏面を下枠４の下面４ｃに固着して取り付けるようにしてある。
例えば、ウインドバリア台座７０にビス挿通孔７１を長手方向に間隔を置いて複数形成し、下枠４の下面４ｃにはビス孔７２を長手方向に間隔をおいて複数形成する。
そのビス挿通孔７１からビス７３をビス孔７２に螺合してウインドバリア台座７０を下枠４の下面４ｃに取り付け、下横ウインドバリア７ａをウインドバリア台座７０に接着剤等で取り付ける。
なお、ウインドバリア台座７０の裏面と下枠４の下面４ｃとの間をシール材（シーラー）で水密するようにしても良い。
また、ウインドバリア台座７０に突起を設け、この突起を下枠４の下面４ｃに形成した孔に嵌合して取り付けるようにしても良い。このようにすれば、ウインドバリア台座７０に横ウインドバリア７ａをあらかじめ取り付けることができる。
【００５５】
前述のように横ウインドバリア７ａを取り付ける場合は、下枠４の下面４ｃに複数のビス孔７２を、下枠４の室内側端部４ｂと平行に対して斜めの仮想直線に沿って間隔を置いて形成することで、横ウインドバリア７ａを斜めに取り付けることができる。
【００５６】
上枠３の上面３ｃにおける室内側寄り部分を平坦面とし、横ウインドバリア７ａの面外方向の取付位置を変更したり、斜めの姿勢で取り付けた場合でも上枠３の上面３ｃに確実に接触して水密できるようにする。
【００５７】
つまり、従来のカーテンウォールユニットにおいては、下枠４の下面４ｃ、上枠３の上面３ｃに溝を長手方向に連続して有したアルミ押出形材を用い、その各溝に下、上の横ウインドバリアを装着すると共に、その下、上の横ウインドバリアを接触することで水密しているので、前述のように面外方向の取付位置を変更できないし、溝は下枠４、上枠３の室内外側端部と平行であるから、前述のように斜めの姿勢で取り付けることができない。
【００５８】
下枠４の下面４ｃと上枠３の上面３ｃとの室内側寄りを前述のように水密したので、図７〜図１０に示すように見込み寸法の異なる上枠３、下枠４の場合に対応できると共に、後述するように左右の縦ウインドバリア７ｂの面外方向位置がずれている場合にも左右の縦ウインドバリア７ｂと横ウインドバリア７ａとを連続することができる。
【００５９】
下のカーテンウォールユニット１の上部室内側部に取り付けた下連結金具６０と、上のカーテンウォールユニットの下部室内側部に取り付けた上連結金具６１を連結することで、上下のカーテンウォールユニット１を面内方向に移動可能で面外方向には動かないように連結したので、上枠３ａの上面３ｃ、下枠４の下面４ｃには、下連結金具６０、上連結金具６１が存在しない。
このために、上枠３の上面３ｃ、下枠４の下面４ｃを平坦面とすることができると共に、上枠３の上面３ｃと下枠４の下面４ｃの上下間隔を、下・上連結金具６０，６１に制約されずに横ウインドバリア７ａの厚さ（高さ寸法）に対応した値とすることができ、下枠４の下面４ｃに設けた横ウインドバリア７ａを上枠３の上面３ｃに確実に接触して水密することができる。
【００６０】
前記下枠４の下面４ｃと上枠３の上面３ｃは、面内方向及び面外方向に平行となるように相対向しているので、横ウインドバリア７ａの取付位置が面外方向に変更したり、斜めに取り付けた場合でも、その横ウインドバリア７ａの圧縮変形代は同一で、優れた水密性が得られる。
【００６１】
前記縦ウインドバリア７ｂは図１２に示すように、取付部７４と水密部７５を有し、その水密部７５は筒状の長尺材で、空洞部を有している。縦枠５の室内側寄りに設けた面内方向外側に向かう溝５１に取付部７４を嵌め込んで取り付けてある。
そして、左右の縦ウインドバリア７ｂの水密部７５同士が接触して水密する。
前記縦レインバリア８ｂは縦枠５の中間部に設けた面内方向外側に向かう溝５２に嵌め込んで取り付けてある。
【００６２】
図１４、図１５にしめすように、横ウインドバリア７ａと左右の縦ウインドバリア７ｂはコーナーピース７６で連結されて上向きコ字形状としてある。
このコーナーピース７６は一側部７６ａと他側部７６ｂでＬ字形状で、その一側部７６ａは横ウインドバリア７ａとほぼ同一の断面形状で、その空洞部に嵌合する一側突起７６ｃを有している。
他側部７６ｂは縦ウインドバリア７ｂの水密部７５とほぼ同一断面形状で、その空洞部に嵌合する他側突起７６ｄを有している。
横ウインドバリア７ａの空洞部に前記一側突部７６ｃを嵌合して一側部７６ａと横ウインドバリア７ａを連結している。
前記縦ウインドバリア７ｂの水密部７５の空洞部の長手方向一端に他側突部７６ｄを嵌合して他側部７６ｂと縦ウインドバリア７ｂを連結し、空洞部の長手方向他端を端部ふさぎ材７７で閉塞している。
前記コーナーピース７６と横・縦ウインドバリア７ａ，７ｂの接合部は熱可塑硬化接着剤で接着してある。
また、横・縦ウインドバリア７ａ，７ｂには空洞部に開口したエアー抜き穴７８がそれぞれ形成され、コーナーピース７６の一側・他側突部７６ｃ，７６ｄが空洞部に嵌合した際に空洞部内の空気を排出できるようにしてある。
【００６３】
次に、前述したように左右の縦ウインドバリア７ｂが面外方向に位置がずれ、横ウインドバリア７ａが斜めとなることについて説明する。
図４に示すように、１つのユニット群１１における上下の横ユニット群１０は、カーテンウォールユニット１の数が同一で、セットバックしていると共に、縦目地部が一直線状に連続しているので、下のカーテンウォールユニット１の面材２ａの角度と上のカーテンウォールユニット１の面材２ａの角度が異なる。
一方、図１６に示すように、上のカーテンウォールユニット１の下枠４の室外側端部４ａを下のカーテンウォールユニット１の上枠３の室外側端部３ｂと平行にして外観の見栄えを良くしているので、上のカーテンウォールユニット１の面材２ａは、下枠４の室外側端部４ａに対して平行ではなく斜めとなる。
このため、左右の縦枠５の面外方向位置がずれることで、縦ウインドバリア７ｂの面外方向位置がずれ、下枠４に横ウインドバリア７ａを斜め（室内側端部４ｂと平行ではない状態）に取り付けることになる。
【００６４】
前述した左右のカーテンウォールユニット１間の縦目地部（左右の縦枠５間の等圧空間）には、縦レインバリア８ｂ等から雨水が浸入することがあるので、その縦目地部に浸入した雨水等を下のカーテンウォールユニット１の縦枠５から排水するようにしている。
例えば、図１１、図１７に示すように、上枠３の室内寄り部分の上面（上枠アタッチメント３１の上面）を、平坦で、水平に対して室外側が室内側より低くなるような傾斜面とすると共に、その左右の上枠３の室内寄り部分の長手方向端部間に、上面が山形状のキャッチパン９を設ける。
このようにすることで、図１８に示すように、上のカーテンウォールユニット１の縦目地部に浸入した雨水等がキャッチパン９の上面９ａに流れ落ち、そのキャッチパン９の上面９ａに沿って左右の上枠３の室内側部の上面に向けて流れ、その上枠３の室内側部の上面に沿って流れて縦枠５から排水される。
【００６５】
前記キャッチパン９について詳細に説明する。
前記上枠アタッチメント３１の長手方向端面にプレート３８を長手方向全長に亘って取り付け、このプレート３８で上枠アタッチメント３１の中空部を閉塞してキャッチパン部材９０の取付面を形成すると共に、プレート３８の上端部が上枠アタッチメント３１の上面よりも上方に突出して支持突部３８ａとしてある。
前記キャッチパン９は、一対のキャッチパン部材９０より成る。
このキャッチパン部材９０は、基部９１と、この基部９１の上部に一体に設けた庇部９２を有し、その庇部９２の上面９２ａが傾斜面で、下面には基部９１の側面と連続した凹部９３が形成してある。
このキャッチパン部材９０は、上枠アタッチメント３１の長手方向端面に、基部９１の側面がプレート３８に接し、凹部９３が支持突部３８ａに嵌まり合い、庇部９２が上枠アタッチメント３１の上面に接するように取り付けられる。
【００６６】
左右のカーテンウォールユニット１の上枠アタッチメント３１に取り付けたキャッチパン部材９０を接することで、一対の庇部９２の上面９２ａが山形状となる。
前記キャッチパン部材９０の庇部９２の室内寄り部分は除去され、図１１に示すように横ウインドバリア７ａが上枠アタッチメントの３１の上面に接するようにしてある。
【００６７】
前記上枠アタッチメント３１の上面に沿って流れた雨水は上枠本体３０の凹陥部３４に流れ落ち、その凹陥部３４に沿って流れ、縦枠５から排水される。
【００６８】
前記キャッチパン９を構成するキャッチパン部材９０は軟質の弾性材、例えばＳＲスポンジ製で、水密性を有しているから、左右の上枠アタッチメント３１のキャッチパン取り付け部分を水密できる。
しかも、キャッチパン部材９０は室外側アタッチメント３６と同一見込み寸法の室外側部材９５と室内側部材９６に分割され、その室内側部材９６の室外寄りを切断することでキャッチパン部材９０の長さを調整できるので、図７〜図１０に示すように見込み寸法の異なる上枠アタッチメント３１に対応した長さのキャッチパン部材９０とすることができる。
【００６９】
前記縦枠５に取り付けた縦ウインドバリア７ｂの上端部はキャッチパン部材９０の下面に接触し、この縦ウインドバリア７ｂを上枠３の上面３ｃまで連続している。
このようであるから、縦目地部の上部寄りを確実に水密することができる。
【００７０】
前記横ウインドバリア７ａはキャッチパン部材９０の室内側寄りの上面に接触し、下のカーテンウォールユニット間の縦目地部の縦ウインドバリア７ｂによる水密部と横目地部の横ウインドバリア７ａによる水密部がキャッチパン部材９０で連続している。
このようであるから、セットバックしている下のカーテンウォールユニット間の縦目地部の水密部と上のカーテンウォールユニット間の縦目地部の水密部を横目地部の水密部とキャッチパン９で連続することができる。
【００７１】
図１８に示すように、下枠４の長手方向端面の室内外側方向の中間部、例えば下枠アタッチメント４１の室外側端部から縦レインバリア８ｂよりも若干室内寄りまでに亘ってプレート１００が取り付けてあり、このプレート１００にレインバリア１０１（水密材）が取り付けてある。
左右のカーテンウォールユニット１の下枠４に取り付けたレインバリア１０１を図１２に示すように接して左右の下枠４の室内外側方向の中間部を水密している。
前記レインバリア１０１は縦枠５に取り付けた縦レインバリア８ｂと接触している。
【符号の説明】
【００７２】
１…カーテンウォールユニット、２…枠体、２ａ…面材、３…上枠、３ｃ…上面、４…下枠、４ｃ…下面、５…縦枠、６…連結手段、７ａ…横ウインドバリア、７ｂ…縦ウインドバリア、８ａ…横レインバリア、８ｂ…縦レインバリア、９…キャッチパン、９ａ…上面、６０…下連結金具、６１…上連結金具、７０…ウインドバリア台座、９０…キャッチパン部材。
【図１】
0005679200.tif 000002
【図２】
0005679200.tif 000003
【図３】
0005679200.tif 000004
【図４】
0005679200.tif 000005
【図５】
0005679200.tif 000006
【図６】
0005679200.tif 000007
【図７】
0005679200.tif 000008
【図８】
0005679200.tif 000009
【図９】
0005679200.tif 000010
【図１０】
0005679200.tif 000011
【図１１】
0005679200.tif 000012
【図１２】
0005679200.tif 000013
【図１３】
0005679200.tif 000014
【図１４】
0005679200.tif 000015
【図１５】
0005679200.tif 000016
【図１６】
0005679200.tif 000017
【図１７】
0005679200.tif 000018
【図１８】
0005679200.tif 000019